(57)【要約】【課題】複合材から構成する場合と金属材のみから構成する場合の両方に用いることのできるサッシの框体を提供する。【解決手段】上下框４０、５０及び左右の縦框６０を方形状に框組みし、各框は金属框４１の室内側に樹脂框４２を配設可能とし、内端部でグレチャン４を介してガラス体３を固定するものであり、金属框４１の室内面の見付方向外側に樹脂框の取付部４６と室内面部４８ｂを有するように突出した起立部４８とを備え、金属框４１の室内側突条４４は先端部近傍に室外側に向かって突出する突片４４ａを有し、突片は先端がグレチャンに圧接すると共に、樹脂框の取付部４７を構成し、縦框の上下端部には樹脂材からなり上下框の室内面部及び縦框の室内面部とそれぞれ略連続状となる室内面部を有する端部キャップを設け、端部キャップの室内面部と各框の室内面部により四周に渡る気密ラインを形成する。【選択図】図３
2006188925.tif 000002
【特許請求の範囲】
【請求項１】
上下框及び左右の縦框を方形状に框組みしてなり、各框は金属框の室内側に樹脂框を配設可能としてなると共に、見付方向内端部でグレチャンを介してガラス体を固定するサッシの框体であって、
上記金属框は室内外面にそれぞれ上記グレチャンを挟持する突条を備えると共に、室内面の見付方向外側に上記樹脂框の取付部と長手方向略全長に渡って突出し室内面部を有する起立部とを備え、
室内側の上記突条は先端部近傍に室外側に向かって突出する突片を有し、該突片は先端が上記グレチャンに圧接すると共に、上記樹脂框の取付部を構成し、
上記縦框の上下端部には樹脂材からなり上記上下框の起立部の室内面部及び上記縦框の起立部の室内面部とそれぞれ略連続状となる室内面部を有する端部キャップを設け、該端部キャップの室内面部と各框の室内面部により四周に渡る気密ラインを形成してなることを特徴とするサッシの框体。
【請求項２】
上記端部キャップは上記縦框の室内面部の端部が突き合わされるように配置されるコーナーカバー部を有してなることを特徴とする請求項１記載のサッシの框体。
【請求項３】
上記端部キャップは上記縦框の室内面端部を覆うと共に固定する固定部を有してなることを特徴とする請求項１または２記載のサッシの框体。
【請求項４】
上記縦框の樹脂框は上記上下框の樹脂框端部を隠す段部を見付方向内側端部に有してなることを特徴とする請求項１〜３のいずれか１項に記載のサッシの框体。
【請求項５】
上記樹脂框は上記取付部に対して係合する係合部を備え、該係合部の端部は上記グレチャンに当接して連続状とされることを特徴とする請求項１〜４のいずれか１項に記載のサッシの框体。
【請求項６】
上記起立部は上記金属框の室内面から略垂直に立ち上がる立ち上がり片を備え、該立ち上がり片の内側部に上記樹脂框の外側取付部が形成されると共に、上記樹脂框は上記立ち上がり片の室内露出面を覆うことを特徴とする請求項１〜５のいずれか１項に記載のサッシの框体。
【発明の詳細な説明】
【技術分野】
【０００１】
本発明は框体内部にガラス体を納めてなるサッシの框体に関し、特に金属框のみでも構成でき金属框の室内側に樹脂框を設けて複合框としても構成できるサッシの框体に関する。
【背景技術】
【０００２】
従来から、建物開口部に設けられる枠体内に納められるサッシの框体について、室外側が金属材からなり、室内側が樹脂材からなる複合材により構成したものが知られている。このような複合材を框体に用いることにより、框体の室内側露出面を樹脂材にて覆うことができるため、断熱性を高めることができると共に、室内側から見た意匠性を向上させることができる。特に、金属による冷たい感じをなくし、デザインの統一化も容易に図ることができる。このようなサッシの框体としては、例えば特許文献１、２に示すようなものがある。
【特許文献１】特開平８−２１８７３９号公報
【特許文献２】特開平１０−３１７８０５号公報
【０００３】
これらのサッシの框体では、グレチャンを介してガラス体を内部に納めている。グレチャンは、サッシの框体の内側端部において室内外の両側から挟持され、ガラス体を保持する。また、サッシの気密性を確保するために、気密材等の何らかの気密構造が設けられている。
【発明の開示】
【発明が解決しようとする課題】
【０００４】
しかし、複合材から構成される従来のサッシの框体は、金属材と樹脂材の両方を配設した状態でしか構成することができなかった。すなわち、樹脂材を取り外して金属材のみでサッシの框体として用いることができなかった。例えば、特許文献１や特許文献２に記載されたサッシの框体では、グレチャンを室外側からは金属材で、室内側からは樹脂材で挟持するようにしているため、金属材のみではサッシの框体としてガラス体を納めることができない。
【０００５】
サッシを取付ける地域によっては、断熱性はそれほど必要とされない。この際には室内側意匠性向上のために複合材からなるサッシの框体を用いる場合と、コストを抑えるために金属材のみからなるサッシの框体を用いる場合とがあって、それぞれ別々に設計されたサッシの框体を用いていたので、コストアップの要因となっていた。
【０００６】
本発明は、上記課題を解決すべくなされたものであり、複合材から構成する場合と金属材のみから構成する場合の両方に用いることのできるサッシの框体を提供することを目的とする。
【課題を解決するための手段】
【０００７】
上記課題を解決するため、本発明に係るサッシの框体は、上下框及び左右の縦框を方形状に框組みしてなり、各框は金属框の室内側に樹脂框を配設可能としてなると共に、見付方向内端部でグレチャンを介してガラス体を固定するサッシの框体であって、
上記金属框は室内外面にそれぞれ上記グレチャンを挟持する突条を備えると共に、室内面の見付方向外側に上記樹脂框の取付部と長手方向略全長に渡って突出し室内面部を有する起立部とを備え、
室内側の上記突条は先端部近傍に室外側に向かって突出する突片を有し、該突片は先端が上記グレチャンに圧接すると共に、上記樹脂框の取付部を構成し、
上記縦框の上下端部には樹脂材からなり上記上下框の起立部の室内面部及び上記縦框の起立部の室内面部とそれぞれ略連続状となる室内面部を有する端部キャップを設け、該端部キャップの室内面部と各框の室内面部により四周に渡る気密ラインを形成してなることを特徴として構成されている。
【０００８】
また、本発明に係るサッシの框体は、上記端部キャップは上記縦框の室内面部の端部が突き合わされるように配置されるコーナーカバー部を有してなることを特徴として構成されている。
【０００９】
さらに、本発明に係るサッシの框体は、上記端部キャップは上記縦框の室内面端部を覆うと共に固定する固定部を有してなることを特徴として構成されている。
【００１０】
さらにまた、本発明に係るサッシの框体は、上記端部キャップは上記上下框の樹脂框端部を隠す段部を見付方向内側端部に有してなることを特徴として構成されている。
【００１１】
そして、本発明に係るサッシの框体は、上記樹脂框は上記取付部に対して係合する係合部を備え、該係合部の端部は上記グレチャンに当接して連続状とされることを特徴として構成されている。
【００１２】
また、本発明に係るサッシの框体は、上記起立部は上記金属框の室内面から略垂直に立ち上がる立ち上がり片を備え、該立ち上がり片の内側部に上記樹脂框の外側取付部が形成されると共に、上記樹脂框は上記立ち上がり片の室内露出面を覆うことを特徴として構成されている。
【発明の効果】
【００１３】
本発明に係るサッシの框体によれば、金属框は室内外面にそれぞれグレチャンを挟持する突条と、樹脂框の取付部とを備え、金属框の起立部に形成された室内面部と縦框の上下端部に設けられる端部キャップに形成された室内面部により四周に渡る気密ラインを形成したことにより、金属框に室内外の突条や気密ラインが形成されているので、金属框のみでも框体として構成することができ、また一方金属框には樹脂框の取付部が形成されているので、樹脂框を取付けた複合框でも框体として構成することができて、両方の框体に共用することができる。また、室内側の突条は先端部近傍に室外側に向かって突出する突片を有し、突片は先端がグレチャンに圧接すると共に、樹脂框の取付部を構成することにより、金属框でグレチャンを押圧しつつ、樹脂框を容易に取付けることができる。さらに、気密ラインは框体の角部において、樹脂材からなる端部キャップに設けられた室内面部により形成されているので、框体の角部において室内側に向かって突出する金属部を排除することができ、安全性の高い框体とすることができる。
【００１４】
また、本発明に係るサッシの框体によれば、端部キャップは縦框の室内面部の端部が突き合わされるように配置されるコーナーカバー部を有してなることにより、端部キャップが金属からなる縦框の室内面部の端部に突き合わされることになり、框体の角部における金属材端部の露出を抑えてより安全性の高い框体とすることができる。
【００１５】
さらに、本発明に係るサッシの框体によれば、端部キャップは縦框の室内面端部を覆うと共に固定する固定部を有してなることにより、縦框の端部が室内側に露出しないようにすることができ、端部キャップと縦框の一体感を高くすることができる。
【００１６】
さらにまた、本発明に係るサッシの框体によれば、縦框の樹脂框は上下框の樹脂框端部を隠す段部を見付方向内側端部に有してなることにより、上下框の樹脂框端部は縦框により隠されるので、縦框と上下框の一体感を高くすることができる。
【００１７】
そして、本発明に係るサッシの框体によれば、樹脂框は取付部に対して係合する係合部を備え、係合部の端部はグレチャンに当接して連続状とされることにより、金属框によるグレチャンの固定部分の室内側露出部分を樹脂框により覆うことができるので、断熱性及び美観に優れたサッシの框体とすることができる。
【００１８】
また、本発明に係るサッシの框体によれば、起立部は金属框の室内面から略垂直に立ち上がる立ち上がり片を備え、立ち上がり片の内側部に樹脂框の外側取付部が形成されると共に、樹脂框は立ち上がり片の室内露出面を覆うことにより、樹脂框を立ち上がり片近傍に取付けて立ち上がり片の室内露出面を覆うので、気密ラインよりも内側の金属露出部分を樹脂框により覆うことができて、断熱性及び美観に優れたサッシの框体とすることができる。
【発明を実施するための最良の形態】
【００１９】
本発明の実施形態について図面に添って詳細に説明する。本実施形態のサッシの框体は、金属材に樹脂材を取付けた複合材の状態と、金属材のみの状態のいずれでも框として用いることができる。図１は複合材の状態のサッシの框体を用いた複合サッシの縦断面図、図２は図１の横断面図である。これら各図に示すように、本実施形態の複合サッシは、建物開口部に対して枠体１を取付け、この枠体１内に框体２を開閉自在に納めたものである。框体２は、正面から見た左右いずれかの上下部を軸として室内外方向に開閉するいわゆる縦辷り出し窓である。
【００２０】
まず、複合サッシを構成する枠体１について説明する。枠体１は、上枠１０と下枠２０及び左右の縦枠３０、３０を方形状に枠組みしてなるものである。各枠は金属枠の室内側に樹脂枠を配設してなるものであり、金属上枠１１の室内側には樹脂上枠１２が、金属下枠２１の室内側には樹脂下枠２２が、金属縦枠３１の室内側には樹脂縦枠３２が、それぞれ設けられる。
【００２１】
上枠１０の室内外中間部の上面にはフィン部８が形成されており、これが建物躯体に当接し、ねじ止めまたはビス止めにより上枠１０の固定がなされる。下枠２０にも同様にフィン部８が形成され、また縦枠３０にもフィン部８が形成されて、それぞれ下枠２０及び縦枠３０を建物躯体に対して固定する。
【００２２】
金属上枠１１には框体２と対向する面に室外側気密材１３を長手方向略全長に渡って設けている。また、樹脂上枠１２には框体２と対向する面に室内側気密材１４を長手方向略全長に渡って設けている。これら気密材１３、１４は後述するように框体２の気密ラインに当接し、サッシの気密性を確保する。下枠２０にも同様に、金属下枠２１に室外側気密材２３が、樹脂下枠２２に室内側気密材２４が設けられ、また縦枠３０にも金属縦枠３１に室外側気密材３３が、樹脂縦枠３２に室内側気密材３４が、それぞれ設けられる。
【００２３】
次に、枠体１内に納められる框体２について説明する。框体２は、上框４０と下框５０及び左右の縦框６０、６０を方形状に框組みしてなるものである。各框は室外側を金属材で構成し、その室内面を樹脂材にて覆っている。上框４０は、金属材からなる金属上框４１と樹脂材からなる樹脂上框４２により構成され、下框５０は、金属材からなる金属下框５１と樹脂材からなる樹脂下框５２により構成され、縦框６０は、金属材からなる金属縦框６１と樹脂材からなる樹脂縦框６２により構成される。
【００２４】
各框を構成する金属材は、いずれもアルミの押出型材からなり、断面中空状に形成される。また樹脂材は、合成樹脂を押出成形等により形成したもので、略平板状とされてなるものである。樹脂材である樹脂上框４２と樹脂下框５２及び樹脂縦框６２には、それぞれ係止部が形成されており、これを金属材に係合させることで樹脂材を金属材の室内面に取付けることができる。この構造については後で詳述する。
【００２５】
框体２の内部には、グレチャン４を介してガラス体３が納められている。グレチャン４は、ゴムからなり断面略コ字状に形成されるもので、ガラス体３の周縁部に四周に渡って取付けられる。グレチャンの両側面はそれぞれ框体２の見付方向内端部の室内外面にそれぞれ形成される突条により挟持固定される。
【００２６】
図３には、金属上框４１と樹脂上框４２の断面拡大図を示す。この図に示すように、金属上框４１の見付方向内端部には、室外面に室外側突条４３が、室内面に室内側突条４４が、それぞれ形成されている。これら室外側突条４３と室内側突条４４及び金属上框４１本体により、見付方向内側に向かって開口した溝部４５が形成される。この溝部４５にグレチャン４が納められ、さらにそれを介してガラス体３が納められる。
【００２７】
また、室内側突条４４の先端部近傍には、室外側に向かって突出する突片４４ａが形成されており、突片４４ａの先端部がグレチャン４の側面に圧接し、グレチャン４を固定している。また、突片４４ａの根元部分は、樹脂上框４２の下端部が係合する内側取付部４７を形成している。
【００２８】
金属上框４１の室内面には、長手方向略全長に渡って起立部４８が形成されている。起立部４８は、金属上框４１から略垂直に立ち上がる立ち上がり片４８ａと、その先端が略Ｌ字状に形成されてなる気密ライン４８ｂとからなっている。また、立ち上がり片４８ａの内側部には、樹脂上框４２の上端部が係合する外側取付部４６が形成されている。
【００２９】
起立部４８の気密ライン４８ｂは、金属上框４１の室内面と平行な面からなり、上枠１０の室内側気密材１４と対向配置される。また、框体２を枠体１に対して閉じた状態において図１に示すように室内側気密材１４に対して当接する。
【００３０】
樹脂上框４２は、上部に金属上框４１の外側取付部４６に係合する外側係止部４２ａを有し、下部に金属上框４１の内側取付部４７に係合する内側係止部４２ｂを有している。外側係止部４２ａは、金属上框４１の外側取付部４６に係合して固定されると共に、金属上框４１の起立部４８を構成する立ち上がり片４８ａの室内側露出面を覆う立ち上がり被覆部４２ｃを有している。立ち上がり被覆部４２ｃは、その先端が上枠１０の室内側気密材１４に当接し、起立部４８において金属上框４１が室内側に露出しないように連続的な被覆をなしている。
【００３１】
また、内側係止部４２ｂは、金属上框４１の内側取付部４７に係合して固定されると共に、その端部がグレチャン４に当接することで、グレチャン４と樹脂上框４２とを連続状とする。これにより、上述した起立部４８における被覆と合わせて、金属上框４１の室内側露出部分を全て樹脂上框４２により連続的に被覆するので、断熱性及び美観に優れたサッシの框体とすることができる。
【００３２】
金属上框４１は、室内外に突条４３、４４を備えてグレチャン４を挟持し、室内面に気密ライン４８ｂを有していることから、框としての機能を全て有している。したがって、金属材のみでも框を構成することができる。一方で室内面に外側取付部４６及び内側取付部４７を備えていることにより、樹脂上框４２を室内露出部が覆われるように取付けることができるので、複合材による框としても構成することができる。
【００３３】
下框５０は、図１に示すように上框４０を上下反転した構造を有している。すなわち、金属下框５１の見付方向内端部には室外側突条５３と室内側突条５４が形成され、溝部５５にグレチャン４を介してガラス体３を納める。また、室内側突条５４には突片５４ａと内側取付部５７が形成され、金属下框５１の室内面には起立部５８と外側取付部５６が形成されて気密ライン５８ｂが下枠２０の室内側気密材２４に当接する。
【００３４】
樹脂下框５２は、下部に形成される外側係止部５２ａが金属下框５１の外側取付部５６に係止固定され、上部に形成される内側係止部５２ｂが金属下框５１の内側取付部５７に係止固定される。このように、金属下框５１も金属上框４１と同様に框としての機能を全て備え、また樹脂下框５２を取付けることもできるように構成されている。
【００３５】
縦框６０も上框４０や下框５０と同様の構造を有している。金属縦框６１の見付方向内端部には室外側突条６３と室内側突条６４が形成され、溝部６５にグレチャン４を介してガラス体３を納める。また、室内側突条６４には突片６４ａと内側取付部６７が形成され、金属縦框６１の室内面には起立部６８と外側取付部６６が形成されて気密ライン６８ｂが縦枠３０の室内側気密材３４に当接する。樹脂縦框６２は、外側係止部６２ａと内側係止部６２ｂを有し、それぞれ金属縦框６１の外側取付部６６と内側取付部６７に係止固定される。
【００３６】
次に、縦框６０と下框５０の連結について説明する。図４には、縦框６０と下框５０の組立斜視図を示す。金属下框５１の端部は縦框６０の溝部６５に飲み込まれ、固定される。図４に示すように、金属下框５１は、気密ライン５８ｂを有する立ち上げ部５８が金属縦框６１の溝部６５に挿入される部分について切り欠かれている。また、樹脂下框５２はその端面を金属下框５１の立ち上げ部５８端面より僅かに縦框６０側に配置している。それよりも縦框６０側、すなわち金属縦框６１の溝部６５に挿入される部分は、金属下框５１のみで構成している。
【００３７】
縦框６０の端面には端部キャップ７０が設けられる。端部キャップ７０は樹脂材からなり、金属下框５１の起立部５８に形成された気密ライン５８ｂと、金属縦框６１の起立部６８に形成された気密ライン６８ｂとそれぞれ連続状となる室内面部７１を有して構成される。また、端部キャップ７０には、縦框６０の気密ライン６８ｂの端部が突き合わされるコーナーカバー部７２が形成されている。
【００３８】
樹脂縦框６２の内側係止部６２ｂは、金属縦框６１の突片６４ａに対して係合する部分が段差状に形成されて段部６２ｄを構成しており、下框５０を金属縦框６１の溝部６５に挿入した際、金属下框５１に形成された気密ライン５８ｂは端部キャップ７０の室内面部７１と連続状となり、樹脂下框５２の端部は樹脂縦框６２の段部６２ｄに飲み込まれた状態となる。すなわち樹脂縦框６２の端部は樹脂縦框６２の段部６２ｄにより室内側から隠されるように配置される。
【００３９】
縦框６０は、下框５０を挿入する部分について、室外側突条６３及び室内側突条６４のグレチャン４及びガラス体３を挟持する先端部を切り欠いている。また、金属縦框６１及び樹脂縦框６２の下端部は、端部キャップ７０の固定部７４に挿入され、金属縦框６１のうち気密ライン６８ｂについてはコーナーカバー部７２に配置される。
【００４０】
図５には、端部キャップ７０の斜視図を示す。端部キャップ７０は、金属縦框６１の端面に対して挿入自在となるように、金属縦框６１の断面形状に略適合する挿入部７３を有している。また、端部キャップ７０の縦框端面側の室内面には、室内面部７１が形成されている。さらに、その裏面側は挿入部７３と縦框６０の厚さ分だけ離隔しており、したがって、室内面部７１の裏面側は樹脂縦框６２の端部を隠すと共に固定するように納めることのできる固定部７４となっている。そして、室内面部７１の外側において縦框６０の気密ライン６８ｂ端部と突き合わされる部分には、上述のコーナーカバー部７２が形成されている。
【００４１】
図６には、縦框６０と下框５０の連結部分の斜視図を示している。この図に示すように、金属下框５１の端部は縦框６０の溝部６５に飲み込まれた状態となって固定されている。また、樹脂下框５２の端部は樹脂縦框６２の段部６２ｄに納められている。
【００４２】
縦框６０の端部に設けられる端部キャップ７０は、室内面部７１が金属下框５１の起立部５８に形成された気密ライン５８ｂと、金属縦框６１の起立部６８に形成された気密ライン６８ｂとそれぞれ連続状となっている。
【００４３】
縦框６０と上框４０の連結部分にも同様に端部キャップ７０が設けられ、その室内面部７１が縦框６０の気密ライン６８ｂと上框４０の気密ライン４８ｂとそれぞれ連続状とされる。したがって、各框の気密ラインと端部キャップ７０の室内面部７１によって、框体２に四周に渡って略連続な気密ラインを形成することができる。この框体２の四周に渡る気密ラインは、上述のように枠体１に四周に渡って略連続状に設けられた室内側気密材に当接し、四周に渡っての水密性及び気密性を確保する。
【００４４】
このように、框の連結部分となる框体２の角部に端部キャップ７０を設けてそれにより框体２の角部の気密ラインを構成することにより、框体２の角部において室内側に向かって突出する金属の立ち上がり片を排除することができ、安全性の高い框体２とすることができる。また、端部キャップ７０には、縦框６０の気密ライン６８ｂの端部が突き合わされるコーナーカバー部７２を形成しているので、金属からなる縦框６０の立ち上がり片６８の端面を露出させず、より安全性の高い框体２とすることができる。
【００４５】
次に、框体２を金属材のみから構成する金属サッシの場合について説明する。図７には金属サッシの縦断面図を、図８には金属サッシの横断面図をそれぞれ示す。まず、枠体１については、上枠１０と下枠２０及び左右の縦枠３０、３０を方形状に枠組みしてなり、各枠は上枠１０は金属上枠１１のみからなり、下枠２０は金属下枠２１のみからなり、また縦枠３０は金属縦枠３１のみからなっている。そして、上枠１０には室外側気密材１３と室内側気密材１４が、下枠２０には室外側気密材２３と室内側気密材２４が、縦枠３０には室外側気密材３３と室内側気密材３４が、それぞれ複合サッシの場合と同位置に設けられる。
【００４６】
框体２は、複合サッシの場合の框体２から樹脂框を取り外したものである。すなわち、框体２を構成する上框４０と下框５０及び縦框６０は、複合サッシの框体２のものと同一である。上述のように金属上框４１と金属下框５１及び金属縦框６１は、いずれも室内外の突条によりグレチャン４を挟持し、しかも四周に渡って気密ラインを形成しているから、金属材のみでも内部にガラス体３を納め水密性及び気密性を確保した框体２として使用することができる。
【００４７】
以上のように、金属上框４１と金属下框５１及び金属縦框６１は、いずれも室内外の突条によりグレチャン４を挟持し、しかも四周に渡って気密ラインを形成しているから、金属材のみからでも框体２を構成することができる。その一方で室内面には樹脂材の取付部を備えているから、金属材と樹脂材を組み合わせた複合材により框体２を構成することもできる。したがって、必要に応じて金属材のみからなる場合と複合材からなる場合とを使い分けることができて、これら２種類のサッシの框体に共用することができるから、部品の共用化によるコストダウンを図ることができる。また、グレチャン４を上框は４４、４３、下框は５３、５４、縦框では６３、６４の金属製突条で狭持する構造としているため、金属材と樹脂材を組み合わせた複合材による框体２の防火仕様においてＣＲゴムあるいはＳＲゴム等の高価な材料の使用を必須とせず、安価な防火塩化ビニルの使用を可能とした。
【００４８】
以上、本発明の実施形態について説明したが、本発明の適用は本実施形態には限られず、その技術的思想の範囲内において様々に適用されうるものである。例えば、本実施形態では枠体１に室外側気密材１３、２３、３３と室内側気密材１４、２４、３４をそれぞれ四周に渡って設けて枠体１と框体２の間で二重の気密をなしているが、室内側の気密については枠体１に気密材を取付ける溝を形成しておき、気密材は必要に応じて取付けるようにしてもよい。すなわち、室外側気密材だけで枠体１と框体２の気密をなすこともできる。この場合、二重に気密するときに比べて気密性能は悪くなるが、コストを下げることができる。
【図面の簡単な説明】
【００４９】
【図１】本実施形態における複合サッシの縦断面図である。
【図２】本実施形態における複合サッシの横断面図である。
【図３】上框の拡大断面図である。
【図４】下框と縦框の連結部分の組立斜視図である。
【図５】端部キャップの斜視図である。
【図６】下框と縦框の連結部分の斜視図である。
【図７】金属サッシの縦断面図である。
【図８】金属サッシの横断面図である。
【符号の説明】
【００５０】
１    枠体
２    框体
３    ガラス体
４    グレチャン
１０    上枠
２０    下枠
３０    縦枠
４０    上框
４１    金属上框
４２    樹脂上框
４３    室外側突条
４４    室内側突条
４４ａ  突片
４５    溝部
４６    外側取付部
４７    内側取付部
４８    起立部
４８ａ  立ち上がり片
４８ｂ  気密ライン
５０    下框
６０    縦框
７０    端部キャップ
【図１】
2006188925.tif 000003
【図２】
2006188925.tif 000004
【図３】
2006188925.tif 000005
【図４】
2006188925.tif 000006
【図５】
2006188925.tif 000007
【図６】
2006188925.tif 000008
【図７】
2006188925.tif 000009
【図８】
2006188925.tif 000010